(57)【要約】【課題】券面情報等を再印字可能にした無線トークンを低コストに再利用可能にする無線トークン処理装置の提供を図る。【解決手段】無線トークン発行装置１は、搬送路２、印字処理部７、検出部５、および反転部６を備える。無線トークン１１は薄板状で、第１の主面が再印字可能に構成される。搬送路２は、第１の主面を搬送方向に平行に無線トークン１１を搬送する。印字処理部７は、搬送路２が搬送している無線トークン１１の第１の主面に対面して印字消去を施す。検出部５は、印字処理部７よりも搬送路２の上流側に設けられ、無線トークン１１の第１の主面がサーマルヘッド７Ａに対面するか否かを検出する。反転部６は、検出部５よりも搬送路２の下流側、かつ、印字処理部７よりも搬送路２の上流側に設けられ、第１の主面の裏面の第２の主面が印字処理部７に対面する無線トークン１１の両主面を反転させる。【選択図】図２
2012194716.tif 000002
【特許請求の範囲】
【請求項１】
第１の主面が再印字可能に構成され無線通信チップが内蔵される薄板状の無線トークンを、前記第１の主面を搬送方向に平行に搬送する搬送路と、
前記搬送路が搬送している無線トークンの前記第１の主面に対面して印字消去を施す印字消去部と、
前記搬送路の前記印字消去部よりも上流側に設けられ、前記搬送路が搬送している無線トークンの前記第１の主面が前記印字消去部に対面することになるか否かを検出する検出部と、
前記搬送路の前記検出部よりも下流側、かつ前記印字消去部よりも上流側に設けられ、前記第１の主面の裏面の第２の主面が前記印字消去部に対面することになると前記検出部が検出した無線トークンを反転させる反転部と、
を備える無線トークン処理装置。
【請求項２】
前記搬送路の前記印字消去部よりも下流側で無線トークンの前記第１の主面に券面情報を印字する印字部と、
前記搬送路の前記印字部よりも上流側に設けられ、前記搬送路を搬送される無線トークンの少なくとも第１の主面に摩擦接触して前記無線トークンを清掃する清掃部と、
を備える、請求項１に記載の無線トークン処理装置。
【請求項３】
前記印字消去部は前記搬送路の前記清掃部よりも下流側に設けられる、請求項２に記載の無線トークン処理装置。
【請求項４】
前記印字消去部は、前記無線トークンの第１の主面に印字消去を施しながら、前記第１の主面に摩擦接触して前記無線トークンを清掃する、請求項１に記載の無線トークン処理装置。
【請求項５】
前記搬送路は、
前記無線トークンの下主面に上面が接触する固定部材と、
前記無線トークンの搬送方向上流側の端面に接触し、搬送方向下流側に移動する移動部材と、を備え、
前記反転部は、
前記固定部材に設けられる開口内に設置されて、搬送方向下流側もしくは上流側の端部を支点に揺動するアーム部材を備え、
前記アーム部材に接触している無線トークンが前記搬送路から持ち上がり両主面が反転するように前記アーム部材を揺動させる、
請求項１〜４のいずれかに記載の無線トークン処理装置。
【発明の詳細な説明】
【技術分野】
【０００１】
この発明は、無線通信チップが内蔵される無線トークンを処理する無線トークン処理装置に関する。
【背景技術】
【０００２】
従来の駅務システムでは、自動改札機で磁気券に対する改札処理が行われる。朝夕のラッシュアワーなどには１分間あたり６０人以上の旅客が改札処理を受けることがあるため、自動改札機は、磁気券を２ｍ/ｓ以上の搬送速度で搬送する高い搬送能力が必要である。そのような自動改札機は非常に高価であり、また保守業務に非常に手間や労力が必要である。そこで、保守業務の省力化や自動改札機等の構成簡易化を目的に、磁気券から、ＲＦＩＤチップ等を内蔵する無線トークンへの置き換えが模索され、無線トークンの発行機などが提案されている（例えば特許文献１参照。）。
【先行技術文献】
【特許文献】
【０００３】
【特許文献１】特開２００７−１７２１０３号公報
【発明の概要】
【発明が解決しようとする課題】
【０００４】
無線トークンは、磁気券に比べて極めて高価であるため、使用後に回収し再利用することが望まれる。従来の無線トークンは、チップに記憶する情報は書き換え可能であるが、無線トークンの表面に予め形成される印字やエンボス模様は変更不能であった。そのため、乗車区間、利用期間、運賃などを表面に券面情報として印字することができなかった。
【０００５】
そこで、無線トークンの一面を感熱性印字面として券面情報の印字を書き換え可能にすることが考えられるが、その場合、回収した無線トークンの表面から券面情報の印字を消去する処理を実施してから、無線トークンを発行機にセットする必要がある。則ち、回収した無線トークンを発行機に投入する前に印字消去の前処理を行う必要がある。
【０００６】
そこで本発明の目的は、券面情報等を再印字可能にした無線トークンを低コストで再利用可能にする無線トークン処理装置を提供することにある。
【課題を解決するための手段】
【０００７】
この発明の無線トークン処理装置は、搬送路、印字消去部、検出部、および反転部を備える。無線トークンは薄板状であり、第１の主面が再印字可能に構成され無線通信チップが内蔵される。搬送路は、前記無線トークンを、第１の主面を搬送方向に平行に搬送する。印字消去部は、前記搬送路が搬送している無線トークンの第１の主面に対面して印字消去を施す。検出部は、前記搬送路の前記印字消去部よりも上流側に設けられ、前記搬送路が搬送している無線トークンの前記第１の主面が前記印字消去部に対面することになるか否かを検出する。反転部は、前記搬送路の前記検出部よりも下流側、かつ前記印字消去部よりも上流側に設けられ、前記第１の主面の裏面の第２の主面が前記印字消去部に対面することになると前記検出部が検出した無線トークンを反転させる。
この構成では、再印字可能な第１の主面（以下、再印字可能面と称する。）を持つ無線トークンを印字消去できる。その上、再印字可能面の向きを揃えずに無線トークンが供給されても、無線トークンの再印字可能面の向きを検出部で検出して反転部で向きを揃えるので、再印字可能面に対する印字消去が確実に行える。したがって回収された無線トークンがそのまま雑然と装置に投入されても、印字消去を自動化して行え無線トークンの再利用が容易となる。
【０００８】
上述の無線トークン処理装置はさらに、印字部と清掃部とを備えると好適である。印字部は、前記搬送路の前記印字消去部よりも下流側で無線トークンの前記第１の主面に券面情報を印字する。前記清掃部は、前記搬送路の前記印字部よりも上流側に設けられ、前記搬送路を搬送される無線トークンの少なくとも第１の主面に摩擦接触して前記無線トークンを清掃する。
この構成では、印字部による印字を行って無線トークンを発行することができる。また、清掃部により無線トークンの再印字可能面を清掃するので、再印字可能面に付着する塵芥により印字不良が発生することを防ぐことができ、印字品質を高められる。
【０００９】
上述の無線トークン処理装置の前記印字消去部は前記搬送路の前記清掃部よりも下流側に設けられると好適である。
この構成では、再印字可能面に付着する塵芥により印字消去の不良が発生することを防ぐことができ、印字品質をさらに高められる。
【００１０】
上述の無線トークン処理装置の前記印字消去部は、無線トークンの再印字可能面に印字消去を施しながら、前記再印字可能面に摩擦接触して前記無線トークンを清掃すると好適である。
この構成では、印字消去部が清掃部を兼ねるので、搬送路および発行機の小型化と処理時間の短縮が図れる。
【００１１】
上述の無線トークン処理装置の前記搬送路は固定部材と移動部材とを備え、前記反転部はアーム部材とを備えると好適である。固定部材は、無線トークンの下主面に上面が接触する。移動部材は、無線トークンの搬送方向上流側の端面に接触し、搬送方向下流側に移動する。アーム部材は、固定部材に設けられる開口内に設置されて、搬送方向下流側もしくは上流側の端部を支点に揺動する。反転部は、アーム部材に接触している無線トークンが前記搬送路から持ち上がり両主面が反転するように前記アーム部材を揺動させる。
この構成では、アーム部材を揺動させて無線トークンを搬送路から持ち上げて無線トークンの両主面を反転させるので、剛性が高く折り曲げることができない無線トークンであっても両主面を反転させることができる。
【発明の効果】
【００１２】
この発明によれば、再印字可能面を持つ無線トークンを回収して印字消去できる。その上、回収された無線トークンがそのまま雑然と装置に投入されても、再印字可能面を揃えて印字消去を確実に行い、無線トークンの再利用を自動化して低コストに運用できる。
【図面の簡単な説明】
【００１３】
【図１】無線トークンの模式図である。
【図２】本発明の第１の実施形態に係る無線トークン処理装置の模式図である。
【図３】図２の無線トークン処理装置の備える内部構成の詳細を例示する図である。
【図４】本発明の第２の実施形態に係る無線トークン処理装置を説明する模式図である。
【図５】本発明の第３の実施形態に係る無線トークン処理装置を説明する模式図である。
【発明を実施するための形態】
【００１４】
以下、この発明の第１の実施形態に係る無線トークン処理装置について、駅務システムの自動券売機に設けられる無線トークン発行装置を例に説明する。
【００１５】
図１は、再印字可能面を持つ無線トークン１１を示す図である。
無線トークン１１は、感熱性印字シート１２、トークン本体１３、およびＲＦＩＤチップ１４を備える。ＲＦＩＤチップ１４は、ＩＣやメモリ、ＲＦＩＤアンテナが内蔵され、ＲＦＩＤリーダライタとの間で、乗車区間、利用期間、運賃など券面情報を通信してメモリに記録する。トークン本体１３はＰＥＴ製であり、厚さ約２ｍｍのコイン状に成形される。トークン本体１３の中央には開口部が形成され、開口部にＲＦＩＤチップ１４が内蔵される。感熱性印字シート１２は、サーマルヘッドを用いて印字消去と印字が可能であり、トークン本体１３の一方主面に貼着される。なお、無線トークン１１の再印字可能面は、乗車区間、利用期間、運賃などの券面情報が印字され、再印字可能面の裏面は、定型の図柄が再印字不能に印刷される。
【００１６】
図２は、本実施形態に係る無線トークン発行装置１の内部構成の一部を示す模式図である。
無線トークン発行装置１は、搬送路２、トークン貯留部３、清掃部４、検出部５、反転部６、印字処理部７、およびＲＦＩＤリーダライタ８を備える。搬送路２の上流側から下流側に掛けて、トークン貯留部３、清掃部４、検出部５、反転部６、印字処理部７、ＲＦＩＤリーダライタ８は順に配置される。
【００１７】
トークン貯留部３は、駅務システムの自動改札機などで回収された無線トークン１１や、新規に追加される無線トークン１１が投入され、それらを貯留する。トークン貯留部３に貯留される無線トークン１１は、利用者から無線トークン１１の発行が要求される度に、搬送路２に１枚ずつ送出される。
搬送路２は無線トークン１１の両主面を略水平に維持しながら、水平な搬送方向に無線トークン１１を搬送する。
【００１８】
清掃部４は搬送路２が搬送している無線トークン１１の両主面を清掃し、無線トークン１１の両主面に付着する塵芥等を除去する。
【００１９】
検出部５は清掃部４を通過した無線トークン１１の上側主面を撮像するカメラや、反射率を検出する光学式センサであり、その画像処理や反射率検出処理によって無線トークン１１の再印字可能面が対面するか否かを検出する。
【００２０】
反転部６は検出部５を通過した無線トークン１１に対し、検出部５が検出した面が再印字可能面の裏面であれば、その無線トークン１１の両主面を反転させ、検出部５が検出した面が再印字可能面であれば、その無線トークン１１をそのまま通過させる。
【００２１】
印字処理部７は、印字消去部と印字部を兼ねるサーマルヘッド７Ａを備える。サーマルヘッド７Ａは、反転部６を通過した無線トークン１１の上面の再印字可能面に対面し、印字消去および、乗車区間、利用期間、運賃などの券面情報の印字を行う。
【００２２】
ＲＦＩＤリーダライタ８は、印字処理部７を通過した無線トークン１１のＲＦＩＤチップに乗車区間、利用期間、運賃などの券面情報を記録する。
【００２３】
このような概略構成の無線トークン発行装置１を用いることで、自動改札機などで回収した無線トークン１１が新規利用する無線トークン１１に混ぜて装置に投入されても、無線トークン１１を印字消去および印字して発行できる。無線トークン１１は、再印字可能面が上方向を向く状態で確実に印字消去および印字され、その印字消去および印字は、無線トークン１１の両主面が清掃された後に行われるので、印字品質を高いものにできる。したがって、無線トークン発行装置１に対して再利用する無線トークン１１を投入する前に、印字消去の前処理を施す必要が無く、無線トークン１１の再利用を低コストに運用できる。
【００２４】
また、再利用する無線トークンは、再利用の回数が重なることで汚れが堆積していくため、複数回利用した場合には洗浄保守業務を実施する必要があるが、無線トークン発行装置１での発行の度に清掃処理が実施されるので、無線トークンの汚れを低減して洗浄保守業務の頻度を抑えることが可能になる。
【００２５】
なお、ここでは検出部５が無線トークン１１の上面に対向する例を示したが、無線トークン１１の下面に検出部５は対向してもよい。また、サーマルヘッド７Ａが無線トークン１１の上面に対向し、再印字可能面の裏面が上を向く無線トークン１１を反転させる例を示したが、サーマルヘッド７Ａを無線トークン１１の下面に対向させ、再印字可能面が上を向く無線トークン１１を反転させるようにしてもよい。
【００２６】
図３（Ａ）は、搬送路２、清掃部４、検出部５、および反転部６の詳細構成を例示する断面図であり、図３（Ｂ）はその平面図である。なお、無線トークン１１の搬送方向を、図中に白矢印で矢示している。
【００２７】
搬送路２は、搬送ベース２Ａ、搬送ベルト２Ｂ、搬送ガイド２Ｃ、搬送ローラ２Ｄ、および搬送モータ（不図示）を備える。搬送ベース２Ａは、搬送路２を搬送される無線トークン１１の下面に接触する固定部材であって、搬送モータの駆動により無線トークン１１が上面を搬送方向にスライドする。搬送ベルト２Ｂは搬送ベース２Ａの上面両脇に１つずつ設けられる。各搬送ベルト２Ｂは、複数の搬送ローラ２Ｄに懸架され、搬送ローラ２Ｄの回転に伴い回動する。搬送ローラ２Ｄは搬送モータに駆動されて回転する。搬送ガイド２Ｃは、搬送ベルト２Ｂに対して垂直に延設され両端が搬送ベルト２Ｂに連結される構成であり、搬送ベルト２Ｂとともに回動する。搬送ガイド２Ｃの搬送方向を向く側面には、中央に凹部が形成されていて、この凹部の内壁に無線トークン１１が接触することにより、無線トークン１１の搬送方向に対する左右の位置ずれが規制される。
【００２８】
清掃部４は、シート繰り出しローラ４Ａ、ニップローラ４Ｂ、シート回収ローラ４Ｃ、清掃シート４Ｄ、および、清掃部駆動モータ（不図示）を備える。シート繰り出しローラ４Ａ、ニップローラ４Ｂ、シート回収ローラ４Ｃ、および清掃シート４Ｄはそれぞれ、搬送路の上下に１つずつ設けられる。２つのニップローラ４Ｂは、搬送路２上で互いに圧接してニップを構成する。清掃シート４Ｄは、シート繰り出しローラ４Ａから繰り出され、ニップローラ４Ｂのニップを通過し、シート回収ローラ４Ｃに回収される。シート繰り出しローラ４Ａは未使用の清掃シート４Ｄを担持し、シート回収ローラ４Ｃは使用後の清掃シート４Ｄを担持する。清掃部駆動ローラの駆動により、シート回収ローラ４Ｃは回転して使用後の清掃シート４Ｄを回収し、これによりニップに未使用の清掃シート４Ｄを供給する。したがって、ニップを通過する無線トークン１１は未使用の清掃シート４Ｄに両主面が摩擦接触し、両主面に付着する塵芥が除去されることになる。
【００２９】
反転部６は、反転アーム６Ａ、揺動軸６Ｂ、およびアーム駆動モータ（不図示）を備える。反転アーム６Ａは、搬送ベース２Ａに設けられる開口６Ｃ内に収容され、搬送方向の端部が揺動軸６Ｂに軸支される。揺動軸６Ｂは、アーム駆動モータの駆動により回転する。アーム駆動モータは、反転アーム６Ａの先端付近に対向する検出部５が、再印字可能面の裏面が上を向く無線トークン１１を検出した場合に駆動し、反転アーム６Ａを所定の角度まで揺動させる。この反転アーム６Ａの揺動により、反転アーム６Ａの上に到達した無線トークン１１は、搬送路２から持ち上げられ、搬送方向に転倒して両主面が反転することになる。
このような搬送路２と反転部６の構成により、無線トークン１１が高剛性で折り曲げることができないものであっても、両主面を反転させることができる。
【００３０】
次に、本発明の第２の実施形態に係る無線トークン発行装置を説明する。
【００３１】
図４は本実施形態に係る無線トークン発行装置２１を例示する図である。
無線トークン発行装置２１は、印字消去部を兼ねるニップローラ２４を備える点で、第１の実施形態の構成と相違する。ニップローラ２４は内部にヒータ２４Ｂを備え、ニップを通過する無線トークン１１の両主面に清掃シート４Ｄを摩擦接触させるとともに、無線トークン１１の再印字可能面を加熱して印字消去を施す。
【００３２】
このような構成であっても、本発明は好適に実施できる。その上、ニップローラ２４が印字消去部を兼ねるので、後段の印字処理部の構成を簡易にでき、搬送路２の短縮や無線トークン発行装置２１の小型化、処理時間の短縮などを実現できる。
【００３３】
次に、本発明の第３の実施形態に係る無線トークン発行装置を説明する。
【００３４】
図５は本実施形態に係る無線トークン発行装置３１を例示する図である。
無線トークン発行装置３１は、印字処理部７のサーマルヘッド７Ａに対向する位置にＲＦＩＤリーダライタ３８を設ける点で、第１の実施形態の構成と相違する。ＲＦＩＤリーダライタ３８は、サーマルヘッド７Ａが無線トークン１１の印字消去および券面情報の印字を行うときに、同時に券面情報のチップ書き込みを行う。
【００３５】
このような構成であっても、本発明は好適に実施できる。その上、無線トークン１１の印字消去および券面情報の印字を行うときに、同時に券面情報のチップ書き込みを行うので、搬送路２の短縮や無線トークン発行装置２１の小型化、処理時間の短縮などを実現できる。
【００３６】
なお、以上の説明では、コイン状の無線トークンを発行する発行機を例に本発明の実施形態を説明したが、その他にもカード状など様々な無線トークンの発行機に対して本発明は適用することができる。
また、自動券売機に設けられる無線トークン発行装置を例に本発明の実施形態を説明したが、精算機や券面情報の修正機、印字消去専用機など、その他の無線トークン処理装置に対しても本発明は適用することができる。
【符号の説明】
【００３７】
１，２１，３１…無線トークン発行装置
２…搬送路
２Ａ…搬送ベース
２Ｂ…搬送ベルト
２Ｃ…搬送ガイド
２Ｄ…搬送ローラ
３…トークン貯留部
４…清掃部
４Ａ…シート繰り出しローラ
４Ｂ，２４…ニップローラ
２４Ｂ…ヒータ
４Ｃ…シート回収ローラ
４Ｄ…清掃シート
５…検出部
６…反転部
６Ａ…反転アーム
６Ｂ…揺動軸
６Ｃ…開口
７…印字処理部
７Ａ…サーマルヘッド
８，３８…ＲＦＩＤリーダライタ
１１…無線トークン
１２…感熱性印字シート
１３…トークン本体
１４…ＲＦＩＤチップ
【図１】
2012194716.tif 000003
【図２】
2012194716.tif 000004
【図３】
2012194716.tif 000005
【図４】
2012194716.tif 000006
【図５】
2012194716.tif 000007